(57)【要約】      （修正有）【課題】美観で低コストのフラットパネルディスプレーと前面カバーを提供する。【解決手段】フラットパネルディスプレーと前面カバー１０を開示する。前面カバー１０は、少なくとも二個の金属片１１を互いに接合してなる。金属片１１は、第一面１１１と第二面を有し、第一面１１１と第二面は挟角を有する。結合部１２は、二個の金属片１１の第二面の間に設置される。結合部１２は第三面１２１を有し、第三面１２１と第一面１１１は、ほぼ同一の水平高度を有する。【選択図】図１Ｂ
0003187713.tif 000002
【実用新案登録請求の範囲】
【請求項１】
フラットパネルディスプレーの前面カバーであって、その特徴は、
前記前面カバーは、少なくとも二個の金属片を接合してなり、前記少なくとも二個の金属片のそれぞれは、第一面と第二面を有し、前記第一面と前記第二面は挟角を有し、
結合部が、前記少なくとも二個のうちの二個の金属片の前記第二面間に設置され、前記結合部は、第三面を有し、前記第三面と前記第一面の水平高度の誤差範囲は0.05mm〜0.1mmであることを特徴とする前面カバー。
【請求項２】
前記結合部は、二個の前記金属片により、はんだ又は溶接方式で形成されることを特徴とする請求項１に記載の前面カバー。
【請求項３】
さらに、第一弧面を有し、且つ、前記第一弧面は、前記結合部の前記第三面から前記第一面に延伸することを特徴とする請求項１又は２に記載の前面カバー。
【請求項４】
さらに、一つの窪んだ溝部を含み、前記第一面と相対する内表面の前記結合部の両側に形成され、且つ、前記溝部は、前記内表面で、一つの平面、または、窪んだ弧面であることを特徴とする請求項１から３の何れか一項に記載の前面カバー。
【請求項５】
前記溝部の底部は、平面、または、二つの細長い平面の中間に前記弧面を挟んでいることを特徴とする請求項４に記載の前面カバー。
【請求項６】
さらに、一つの窪んだ逆Ｖ字型溝部を含み、前記逆Ｖ字型溝部の開口の最大幅は3mm〜6mm、最大深さは0.04mm〜0.15mmであることを特徴とする請求項１から５の何れか一項に記載の前面カバー。
【請求項７】
さらに、前記第一面と前記第三面上に設置される塗布層を有することを特徴とする請求項１から６の何れか一項に記載の前面カバー。
【請求項８】
ディスプレイモジュールと前面カバーを含むフラットパネルディスプレーであって、前記前面カバーの特徴は、
前記前面カバーは、少なくとも二個の金属片を接合してなり、前記少なくとも二個の金属片のそれぞれは、第一面と第二面を有し、前記第一面と前記第二面は挟角を有し、
結合部は、前記少なくとも二個の金属片のうちの二個の金属片の前記第二面の間に設置され、前記結合部は第三面を有し、前記第三面と前記第一面の水平高度の誤差範囲は0.05mm〜0.1mmであることを特徴とするフラットパネルディスプレー。
【請求項９】
前記結合部は、二個の前記金属片により、はんだ又は溶接方式で形成されることを特徴とする請求項８に記載のフラットパネルディスプレー。
【請求項１０】
さらに、第一弧面を有し、且つ、前記第一弧面は、前記結合部の第三面から前記第一面に延伸することを特徴とする請求項８又は９に記載のフラットパネルディスプレー。
【請求項１１】
前記前面カバーは、さらに、一つの窪んだ溝部を含み、前記第一面と相対する内表面の前記結合部の両側に形成され、前記溝部は、前記内表面で、一つの平面、または、窪んだ弧面であることを特徴とする請求項８から１０の何れか一項に記載のフラットパネルディスプレー。
【請求項１２】
前記溝部の底部は、平面、または、二つの細長い平面の中間に前記弧面を挟んでいることを特徴とする請求項１１に記載のフラットパネルディスプレー。
【請求項１３】
前記前面カバーは、さらに、一つの窪んだ逆Ｖ字型溝部を含み、前記逆Ｖ字型溝部の開口の最大幅は3mm〜6mm、最大深さは0.04mm〜0.15mmであることを特徴とする請求項８から１２の何れか一項に記載のフラットパネルディスプレー。
【請求項１４】
前記前面カバーは、さらに、前記第一面と前記第三面の上に設置される塗装層を有することを特徴とする請求項８から１３の何れか一項に記載のフラットパネルディスプレー。
【考案の詳細な説明】
【技術分野】
【０００１】
本考案は、フラットパネルディスプレーと前面カバーに関するものであって、特に、金属片を結合してなる前面カバーおよびこのような前面カバーを応用したフラットパネルディスプレーに関するものである。
【背景技術】
【０００２】
従来のフラットパネルディスプレーの前面カバーは、多くが、プラスチックを一体成型したものであるが、プラスチックの原料コストが増加するのに伴い、さらに、プラスチック前面カバーのダイの設計および製作費用が加わって、フラットパネルディスプレーの総製造コストは減少することができない。よって、ある企業は、プラスチックに代わって、金属片を使用して、フラットパネルディスプレーの前面カバーを製造し始めている。しかし、美観と平坦性を増加するため、金属片全片を切断して、四角のカバーを製造しなければならないので、大量の金属が浪費されてしまう。これにより、どのようにすれば、金属片をフラットパネルディスプレーの前面カバーとし、美観で低コストを維持することができるようにするかが現在の課題である。
【考案の概要】
【考案が解決しようとする課題】
【０００３】
本考案は、美観で低コストのフラットパネルディスプレーの前面カバーを提供することを目的とする。
【課題を解決するための手段】
【０００４】
本考案の前面カバーは、少なくとも二個の金属片を接合してなり、金属片は、第一面と第二面を有し、第一面と第二面は挟角を有する。結合部は、二個の金属片の第二面の間に設置され、結合部は第三面を有し、第三面と第一面は、ほぼ同一の水平高度を有する。よって、本考案の前面カバーは、二個以上の金属片を利用して、はんだか溶接により結合部を形成し、金属片の第一面と結合部の第三面は、ほぼ同一の水平高度を有し、直接、従来のプラスチック前面カバーを代替することができる。
【０００５】
さらに、本考案の前面カバーは、研磨方式で、金属片の第一面と結合部の第三面に、ほぼ同一の水平高度を有させると共に、さらに、塗布層を有するので、平坦性がよく、従来のプラスチック前面カバーを代替し、直接、フラットパネルディスプレーの前面カバーとして使用でき、よって、製造コストが減少する。さらに、本考案のフラットパネルディスプレーは、ディスプレイモジュールと前面カバーを含み、前面カバーの特徴は、前面カバーは、少なくとも二個の金属片を接合してなり、金属片は、第一面と第二面を有し、第一面と第二面は挟角を有する。
【０００６】
結合部は、二個の金属片の第二面の間に設置され、結合部は第三面を有し、第三面と第一面は、ほぼ同一の水平高度を有する。これにより、本考案のフラットパネルディスプレーは、二個以上の金属片を利用して、はんだか溶接により結合部を形成すると共に、金属片の第一面と結合部の第三面に、ほぼ同一の水平高度を有させ、直接、従来のプラスチック前面カバーを代替して、フラットパネルディスプレーの製造コストを減少させることができる。
【０００７】
さらに、本考案のフラットパネルディスプレーは、前面カバーが、研磨方式を利用して、金属片の第一面と結合部の第三面に、ほぼ同一の水平高度を有させ、且つ、塗布層を有するので、平坦性がよく、従来のプラスチック前面カバーを代替して、前面カバーの製作コストを節約することができる。
【考案の効果】
【０００８】
製作コストが減少する。
【図面の簡単な説明】
【０００９】
【図１Ａ】本考案の好ましい態様による前面カバーの分解図である。
【図１Ｂ】本考案の好ましい態様による前面カバーを示す図である。
【図２Ａ】本考案の好ましい態様による前面カバーの断面図である。
【図２Ｂ】本考案の好ましい態様による前面カバーの断面図である。
【図２Ｃ】本考案の好ましい態様による前面カバーの断面図である。
【図２Ｄ】本考案の好ましい態様による前面カバーの断面図である。
【図３】本考案の別の好ましい実施例による前面カバーの局部断面図である。
【図４】本考案の別の好ましい実施例による前面カバーの局部断面図である。
【図５】本考案の別の好ましい実施例による前面カバーの局部断面図である。
【図６】本考案の好ましい態様によるフラットパネルディスプレーを示す図である。
【考案を実施するための形態】
【００１０】
本考案は、フラットパネルディスプレーと前面カバーを開示し、それが利用するフラットパネルディスプレーのディスプレー原理は、当該技術を熟知する者なら誰でも理解できることであり、以下で詳述しない。同時に、以下の文中の図式は、本考案の特徴に関する構造を示しており、実際の尺寸に基づいて作図されているわけではない。
【００１１】
図１Ａと図１Ｂは、本考案の好ましい態様を示す図である。フラットパネルディスプレーの前面カバー１０の特徴は、前面カバー１０は、少なくとも二個の金属片１１を互いに接合してなり、金属片１１は、第一面１１１と第二面１１２を有し、第一面１１１と第二面１１２は挟角を有し、この態様において、第一面１１１と第二面１１２の挟角は、約９０度であるが、これに限定されない。図２Ａに示されるように、結合部１２は、二個の金属片１１の第二面１１２の間に設置され、即ち、結合部１２は、二個の金属片１１の第二面により結合し、結合部１２は第三面１２１を有し、この第三面１２１と金属片１１の第一面１１１は、ほぼ同一の水平高度を有する。
【００１２】
本態様において、結合部１２は、二個の金属片１１の第二面１１２により、はんだ方式で形成されているが、これに限定されず、溶接で、二個の金属片１１の第二面１１２を接合して、結合部１２を生成してもよい。このほか、金属片１１の第一面１１１の形状は限定されず、たとえば、長方形、L字型、または、U字型等の構造を有して、第二面１１２を、前面カバー１０に相互に接合してもよい。
【００１３】
図２Ｂに示されるように、結合部１２は、二個の金属片１１の第二面１１２により、はんだか溶接方式で形成されるので、結合部１２の第三面１２１と金属片１１の第一面１１１に、ほぼ同一の水平高度を有させるため、研磨方式で、第一面１１１と第三面１２１高度差を、０．０５ｍｍ から ０．１ｍｍ内に制御する。さらに、 本考案の好ましい態様において、前面カバー１０は、さらに、第一弧面１１３を含み、且つ、第一弧面１１３は、結合部１２の第三面１２１から両辺の第一面１１１に延伸する。さらに、第一弧面１１３の弧面差ｄ１は０．１ｍｍ以下、第一弧面１１３の幅の範囲ｄ２は１００ｍｍ以下である。本考案の好ましい態様において、第一弧面１１３は、研磨方式で形成されているが、本考案の限りではない。よって、金属片１１の第一面１１１と結合部１２の第三面１２１は、ほぼ同一の水平高度を有する。
【００１４】
このほか、図２Ｃを参照すると、前面カバー１０は、さらに、第一面１１１と第三面１２１間に設置される塗布層１３を有する。塗布層１３は、焼付け塗装(baked painting)、スプレー塗装(spray-painting)またはコーティング(coating)により形成される。したがって、前面カバー１０は平坦性がよく、従来のプラスチック前面カバーを代替し、直接、フラットパネルディスプレーの前面カバーとして使用することができる。特に、図２Ｄを参照すると、塗布層１３は、さらに、第二弧面１３１を含み、第二弧面１３１の弧面差は、第一弧面１１３の弧面差より小さく、よって、一般の目視レベルで、前面カバー１０は平坦性がよい。
【００１５】
図３を参照すると、一つの実施例中、前面カバー１０は、さらに、一つの窪んだ溝部１４を含み、溝部１４は、第一面１１１と相対する内表面１１４の結合部１２の両側に、細長い平面１４１を形成し、内表面１１４の位置に、結合部１２は窪んだ弧面１２２があり、よって、溝部１４の底部は、二つの細長い平面１４１の中間に、前述の窪んだ弧面１２２を挟んでいる。ここで、溝部１４の幅Wは3mm〜6mm、深さDは0.04mm〜0.15mmである。溝部の幅Wは、好ましくは、4mm〜5mm、深さDは、好ましくは、0.04mm〜0.1mmである。特に、深さDの尺寸が小さいほど、結合部１２の厚さが大きくなり、よって、前面カバー１０の強度も大きくなる。
【００１６】
図４を参照すると、別の実施状態において、結合部１２が位置する内表面１１４は平面１２３であり、よって、溝部１４の底部は、二つの細長い平面１４２の中間が平面１２３を挟んで、溝部１４の底部が、平らな平面を形成する。
【００１７】
図５を参照すると、一つの実施例において、前面カバー１０は、さらに、一つの窪んだ逆Ｖ字型溝部１４を含み、逆Ｖ字型溝部１４は、内表面１１４の結合部１２位置に形成され、逆Ｖ字型溝部１４の幅w1は、結合部１２の幅w2より少し大きく、即ち、結合部１２は、内表面１１４で、逆Ｖ字型溝部１４中に含まれ、一般の状態下で、逆Ｖ字型溝部１４のＶ字型先端１４３は、ちょうど、結合部１２の中央にあり、且つ、逆Ｖ字型溝部１４の幅w1は3mm〜6mm、深さDは0.04mm〜0.15mmである。逆Ｖ字型溝部の幅w1は、好ましくは、4mm〜5mm、深さDは、好ましくは、0.04mm〜0.1mmである。同様に、深さDの尺寸が小さいほど、結合部１２の厚さは大きく、よって、前面カバー１０の強度も大きい。
【００１８】
溝部１４の具体的な意義は、二個の金属片１１が溶接により結合された後、まず、溶接部位で、明らかな痕を形成する。このとき、成型モールドは、前面カバー１０を、内表面１１４から第一面１１１にスタンプ成型し、内表面１１４で溝部１４を形成すると同時に、第一面１１１で、突起(図示しない)を形成する。その後、精密な研磨工程により、第一面１１１の突起を研磨すると共に、第一面１１１の高度差が0.01mmを超えない平坦度を達成し、これにより、一体成型の美観効果を達成する。溝部１４が、前面カバー１０の内表面１１４に形勢され、且つ、溝部１４の深さDは、金属片１１の厚さd3より随分小さいので、溝部１４は、前面カバー１０の外観全体に影響しない。
【００１９】
図６を参照すると、本考案は、さらに、フラットパネルディスプレー１００を提供する。フラットパネルディスプレー１００は、少なくともひとつのディスプレイモジュール２０と前面カバー１０を含む。前面カバー１０の素子、たとえば、金属片１１、結合部１２および塗布層１３は、前述のものと同じ構造特徴を有するので、ここで詳述しない。ここで、フラットパネルディスプレー１００の前面カバー１０は、直接、射出成型で、且つ、製作コストが高いプラスチック前面カバーを代替することができる。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００２１】
１００  フラットパネルディスプレー
２０  ディスプレイモジュール
１０  前面カバー
１１  金属片
１１１  第一面
１１２  第二面
１１４  内表面
１２  結合部
１２１  第三面
１２２  弧面
１２３  平面
１１３  第一弧面
ｄ１  弧面差
ｄ２  幅範囲
１３  塗布層
１３１  第二弧面
１４  溝部
１４１  平面
１４２  平面
１４３  Ｖ字型先端
【図１Ａ】
0003187713.tif 000003
【図１Ｂ】
0003187713.tif 000004
【図２Ａ】
0003187713.tif 000005
【図２Ｂ】
0003187713.tif 000006
【図２Ｃ】
0003187713.tif 000007
【図２Ｄ】
0003187713.tif 000008
【図３】
0003187713.tif 000009
【図４】
0003187713.tif 000010
【図５】
0003187713.tif 000011
【図６】
0003187713.tif 000012